(57)【要約】  【課題】ICカードの接近によるリーダ装置の共振周波数の低下、それに伴って起こる磁界強度の低下を原因とする通信距離短縮に対処することができるリーダ装置を提供する。  【解決手段】制御回路１３１０Aの制御により、アンテナ部１３６０Aが備えるコンデンサー４１００、４２００、４３００及び４４００を、時分割で切替える。これにより、通信方式毎に異なる磁界強度低下、ICカード接近による磁界強度低下に備える。【選択図】図４
2007201647.tif 000002
【特許請求の範囲】
【請求項１】
それぞれ異なる通信方式を備える２以上のカードと、非接触で通信するリーダ装置であって、
予め設定された第１共振周波数及び第２共振周波数を有するアンテナ部と、
前記第１及び第２共振周波数をそれぞれに定まる時間間隔で切替える制御部と
を備えることを特徴とする非接触ICカードリーダ装置。
【請求項２】
前記リーダ装置は、前記第１共振周波数を有し、第１の磁界強度により活性化するカード及び前記第２共振周波数を有し、前記第１の磁界強度より低い第２の磁界強度により活性化するカードと通信し、
前記アンテナ部において、前記第１共振周波数は、前記第２共振周波数よりも高い
ことを特徴とする請求項１に記載の非接触ICカードリーダ装置。
【請求項３】
前記アンテナ部は、
アンテナコイルと、
前記アンテナコイルと直列に接続され、前記第１共振周波数から定まるコンデンサー容量及び前記第２共振周波数から定まるコンデンサー容量とを有するコンデンサーと、
前記制御部の制御により、前記２種のコンデンサー容量から、いずれか１種を選択する選択部とを含む
ことを特徴とする請求項２に記載の非接触ICカードリーダ装置。
【請求項４】
前記アンテナ部は、
前記第１共振周波数から定まるアンテナの巻き数及び前記第２共振周波数から定まるアンテナコイルの巻き数を有するアンテナコイルと、
前記２種の巻き数のうちいずれか１種を選択する選択部と
を備える
ことを特徴とする請求項２に記載の非接触ICカードリーダ装置。
【発明の詳細な説明】
【技術分野】
【０００１】
本発明は、通信方式の異なる複数のＩＣカードと良好な通信ができるリーダ装置に関する。
【背景技術】
【０００２】
近年セキュリティシステム、電子マネー等の分野で非接触ＩＣカードの利用が進んでおり、利用が進むにつれて異なる複数の通信方式が混在する状況下でも１台で対応できるリーダ装置の要望が高まってきている。そこで、特許文献１は、リーダ装置と複数のＩＣカードとの間で、変調度が大きい通信方式を備えるＩＣカードに対して、リーダ装置は、出力を低く設定し、変調度が小さい通信方式を備えるＩＣカードに対して、出力を高く設定する技術を開示している。これにより、１台のリーダ装置は、異なる通信方式を備える複数ＩＣカードと通信することができる。
【特許文献１】特開２００３−１８０４３号公報
【発明の開示】
【発明が解決しようとする課題】
【０００３】
しかしながら、特許文献１記載の技術には、変調度が小さい通信方式を備えるICカードの場合には、リーダ装置の出力を上げることができるため、リーダ装置とICカードとの通信可能距離が長くなり良好な通信が可能となるが、変調度が高い通信方式を備えるICカードと通信する場合には、出力を上げることができないため、リーダ装置とICカードとの通信可能距離が短くなり、変調度が小さい通信方式を備えるICカードと比べると良好な通信が実現できないという問題がある。
【課題を解決するための手段】
【０００４】
上記目的を達成するために、本発明は、それぞれ異なる通信方式を備える２以上のカードと、非接触で通信する非接触ＩＣカードリーダ装置であって、予め設定された第１共振周波数及び第２共振周波数を有するアンテナ部と、前記第１及び第２共振周波数をそれぞれに定まる時間間隔で切替える制御部とを備えることを特徴とする。
【発明の効果】
【０００５】
この構成によると、それぞれに定まる時間間隔で通信方式毎に共振周波数を変えることにより、活性化磁界の異なる各ＩＣカードに対して最適な磁界強度を生成しつつ、異なる通信方式を持つ複数のＩＣカードのいずれとも良好な通信が可能となる。
ここで、前記非接触ＩＣカードリーダ装置は、前記第１共振周波数を有し、第１の磁界強度により活性化するカード及び前記第２共振周波数を有し、前記第１の磁界強度より低い第２の磁界強度により活性化するカードと通信し、前記アンテナ部において、前記第１共振周波数は、前記第２共振周波数よりも高いとすると良い。
【０００６】
この構成によると、高い磁界強度で活性化するＩＣカードの通信方式の時は、低い磁界強度で活性化可能な応答器の通信方式よりも高いアンテナ共振周波数に設定する為、高い活性化磁界強度のＩＣカードの時は、非接触ＩＣカードリーダ装置に近付くにつれてアンテナ共振周波数が搬送波周波数に近くなり、効率の良い通信を行うことができる。
ここで、前記アンテナ部は、アンテナコイルと、前記アンテナコイルと直列に接続され、前記第１共振周波数から定まるコンデンサー容量及び前記第２共振周波数から定まるコンデンサー容量とを有するコンデンサーと、前記制御部の制御により、前記２個のコンデンサー容量から、いずれか１つを選択する選択部とを含むとしてもよい。
【０００７】
この構成によると、アンテナ部のコンデンサーを切替えることにより、通信方式に応じて、細かく共振周波数を調整することができる。
ここで、前記アンテナ部は、前記第１共振周波数から定まるアンテナの巻き数及び前記第２共振周波数から定まるアンテナコイルの巻き数を有するアンテナコイルと、前記２個の巻き数のうちいずれか１個を選択する選択部とを備えるとしてもよい。
【０００８】
この構成によると、アンテナコイルの巻き数を増減することにより、リアクタンスを変えることで通信方式に応じ、大きく共振周波数を調整することができる。
【発明を実施するための最良の形態】
【０００９】
1. セキュリティシステム１０００
本発明に係る第１の実施の形態としてのセキュリティシステム１０００について説明する。
(セキュリティシステム１０００の構成)
セキュリティシステム１０００は、図１に示すように、入退出管理に使用されており、また図２に示すように、中央監視装置１１００、制御ユニット１２００A及び１２００B、リーダ/ライタ装置１３００A及び１３００B、入退出ドア１５００A及び１５００B、異なる通信方式a,b,c,dそれぞれを用いるICカード１４００a、１４００ｂ、１４００c及び１４００dから構成されている。
【００１０】
中央監視装置１１００は、通信網１０、２０を介してそれぞれ制御ユニット１２００A及び１２００Bと接続している。また制御ユニット１２００Aは信号線３０、４０を介して、それぞれリーダ/ライタ装置１３００Aと入退出ドア１５００Aと接続している。同様に、制御ユニット１２００Bは、信号線５０，６０を介してそれぞれリーダ/ライタ装置１３００Bと入退出ドア１５００Bと接続している。
【００１１】
ICカード１４００a、１４００ｂ、１４００ｃ及び１４００ｄには、それぞれお互いを区別するためのカード識別番号が割り振られている。
中央監視装置１１００は、ICカード１４００a〜１４００ｄそれぞれに割り振られているカード識別番号を記憶しており、制御ユニット１２００Aはリーダ/ライタ装置１３００Aの送受信制御と状態監視、入退出ドア１５００Aの状態監視と施解錠制御を行う。利用者が、ICカード１４００aをリーダ/ライタ装置１３００Aに近づけるとICカード１４００aは、リーダ/ライタ装置１３００Aからのカード識別番号の返信要求に対して、記憶しているカード識別番号を返信する。１４００ｂ〜１４００ｄについても同様である。
【００１２】
次に、リーダ/ライタ装置１３００AはICカード１４００aから受信したカード識別番号を、制御ユニット１２００Aを通して、中央監視装置１１００に送り、中央監視装置１１００は記憶しているカード識別番号と受信したカード識別番号とを比較してそれらが合致すれば、制御ユニット１２００Aに解錠命令を出し、解錠命令を受けた制御ユニット１２００Aは入退出ドア１５００Aを解錠する。カード識別番号が不一致であれば、施錠のままとする。
【００１３】
また、制御ユニット１２００Bはリーダ/ライタ装置１３００Bの送受信制御と状態監視、入退出ドア１５００Bの状態監視と施解錠制御を行い、ICカード１４００a〜１４００ｄとに対して、制御ユニット１２００Aと同様に通信を行う。
（ICカード１４００aの回路構成）
ICカード１４００aは、図３に示すように、制御回路１４１０a、記憶回路１４２０a、変調回路１４３０a、復調回路１４４０a、電力生成回路１４５０a及びアンテナ部１４６０ａとから構成されている。
【００１４】
制御回路１４１０ａは、記憶回路１４２０aと復調回路１４４０aと変調回路１４３０aとに接続している。復調回路１４４０aは制御回路１４１０aとアンテナ１４６０aに接続している。また、変調回路１４３０aは制御回路１４１０aとアンテナ１４６０aに接続している。電力生成回路１４５０aは復調回路１４４０a、変調回路１４３０a、制御回路１４１０a及び記憶回路１４２０aと接続している。
【００１５】
電力生成回路１４５０aはICカード１４００a内部で使用する電力を生成し、復調回路１４４０a、変調回路１４３０a、制御回路１４１０a、記憶回路１４２０aに電力を供給する。
復調回路１４４０aは送信波から信号を取り出す復調をし、制御回路１４１０aに信号を送る。
【００１６】
記憶回路１４２０aは、ICカード１４００aに固有のカード識別番号を記憶している。
制御回路１４１０aは、送られて来た信号を復号化しリード/ライタ装置からの情報を取り出し、取り出した情報がカード識別番号の読み出し指示であるか他の指示であるかを判断し、カード識別番号の読み出し指示である場合、制御回路１４１０aはカード識別番号を記憶回路１４２０aから読み出して、そのカード識別番号を含む応答信号を生成して変調回路１４３０aに送る。
【００１７】
変調回路１４３０aは、制御回路１４１０aから送られて来た応答信号で、リーダ/ライタ装置１３００Aから送信し続けられている搬送波の無変調区間に変調を行う。
アンテナ部１４６０aは、返信波及び送信波を送受信する。
（リーダ/ライタ装置１３００A）
＜全体構成＞
ここでは、リーダ/ライタ装置１３００Aの回路構成について、図３を用いて説明する。
【００１８】
リーダ/ライタ装置１３００Aは、図３に示すように、クロック回路１３０５A、制御回路１３１０A、変調回路１３２０A、RF送信回路１３３０A、復調回路１３４０A、RF受信回路１３５０A及びアンテナ部１３６０Aから構成されている。
クロック回路１３０５Aは、制御回路１３１０Aと接続している。制御回路１３１０Aは、変調回路１３２０A、復調回路１３４０A、RF送信回路１３３０A、RF受信回路１３５０A及びアンテナ部１３６０Aと接続している。また、変調回路１３２０Aは、RF送信回路１３３０Aと接続しており、RF送信回路１３３０Aはアンテナ部１３６０Aと接続しており、復調回路１３４０Aは、RF受信回路１３５０Aと接続しており、RF受信回路１３５０Aは、アンテナ部１３６０Aと接続している。
【００１９】
クロック回路１３０５Aは、クロックを生成し、クロックに基づいて通信方式毎に異なる
所定の時間間隔で制御回路１３１０Aへ切替信号を送信する。
制御回路１３１０Aは、ICカードへの質問信号生成及び各回路への切替命令を行う。
変調回路１３２０Aは通信方式毎の変調を行う。
【００２０】
RF送信回路１３３０Aは通信方式毎の出力調整を行う。
RF受信回路１３５０Aは通信方式毎の出力調整と帯域制限を行う。
復調回路１３４０AはICカードからの返信される変調信号を復調する。
また、アンテナ部１３６０Aは送信波の送信・返信波の受信を行う。
＜アンテナ部１３６０Aの回路構成＞
アンテナ部１３６０Aについて説明する。
【００２１】
アンテナ部１３６０Aは、図４に示すように、アンテナコイル４５００、コンデンサー制御部４６００、コンデンサー４１００、４２００、４３００及び４４００から構成されている。
コンデンサー制御部４６００は、スイッチ４１５０、４２５０、４３５０及び４４５０から構成されている。
【００２２】
コンデンサー４１００、４２００、４３００及び４４００の一端４１１０、４２１０、４３１０及び４４１０はそれぞれアンテナコイル４５００に接続されている。アンテナコイル４５００一端はRF受信回路１３５０Aに接続している。
端点４１３０、４２３０、４３３０及び４４３０は、それぞれ送信回路１３３０Aと接続している。
【００２３】
リーダ/ライタ装置１３００Bの各回路の接続及び各回路の働きは、リーダ/ライタ装置１３００Aと同じであるので、ここでは割愛する。
＜通信方式毎の共振周波数の設定＞
ここでは、図５を用いて、通信方式毎の共振周波数の設定方法について説明する。
このセキュリティシステム１０００では、４つの異なる通信方式a〜ｄが混在して用いられている。通信方式が異なるとICカードが内部で使う電力生成に必要とする磁界強度が異なるためこれら通信方式毎に応じて共振周波数を設定する必要がり、この共振周波数の設定は、ICカードの磁界強度を基準として設定される。
【００２４】
通信方式ａ〜ｄにおいて、ICカードが電力生成のために必要な磁界強度が、通信方式aのICカード１４００a、通信方式bのICカード１４００ｂ、通信方式cのICカード１４００ｃ、通信方式ｄのICカード１４００ｄの順で高く要求されている。
通信方式aのICカードは、一番高い磁界強度を要求するため、残り３つの通信方式と比較して、カードをリーダ/ライタ装置により近づけないと内部で使用する電力が生成できない。そのため、リーダ/ライタ装置の共振周波数の低下が、他の３つに比べて、一番大きくなるため、４つの通信方式の中で一番高く共振周波数を設定する必要があり、共振周波数５４００に設定される。
【００２５】
また、通信方式ｄのICカードは、一番低い磁界強度で内部回路の動作に必要な電力を生成できるため、共振周波数５１００に設定する。
逆に、共振周波数５１００より高く、例えば通信方式aと同じ共振周波数５４００に設定した場合、ICカードの接近により、共振周波数は低下するものの、共振周波数が搬送波周波数になかなか近づかずに、ICカードが電力生成に必要な磁界強度を得るためには、共振周波数５１００に設定したよりも、ICカードをリーダ装置に近づけなければならず、通信距離が短くなる。
【００２６】
同様にして、通信方式ｂの時は共振周波数５２００に、通信方式ｃの場合には、共振周波数５３００に設定する。
（共振周波数と磁界強度の低下）
ここでは、図６を用いて、通信方式aの場合についてICカードの接近による磁界強度の低下とICカードの電力生成の関係について説明する。
【００２７】
図６は通信方式aのＩＣカードの接近による共振周波数低下及び磁界強度低下とＩＣカード活性化との関係を表した図である。
グラフ７６００において、縦軸はＩＣカード１４００aがリーダ/ライタ装置１３００Aから受ける磁界強度の大きさ、横軸はリーダ/ライタ装置１３００AとＩＣカード１４００aとの距離をそれぞれ表している。
【００２８】
また、磁界強度７６３５はICカード１４００aの電力生成するために必要な最低磁界強度を表す。
最初、リーダ/ライタ装置１３００Aの共振周波数は共振周波数５４００に設定されている。ICカード１４００aが、リーダ/ライタ装置１３００Aに近づくと、リーダ/ライタ装置１３００Aは、地点７６１０からICカード１４００aの影響を受け始め、共振周波数の低下が始まる。
【００２９】
ICカード１４００aが地点７６２０まで接近すると、共振周波数７２００まで低下し、搬送波は磁界強度が、磁界強度７２１０である磁界を作り、ICカード１４００aは磁界強度７６２５を受けるが、電力生成のために必要な磁界強度７６３５には満たないため、ICカード１４００aは電力を生成できない。
ICカード１４００aがリーダ/ライタ装置１３００Aに近づくに連れて、ICカード１４００aの受ける磁界強度は曲線７６０５に沿って大きくなり、ICカード１４００aが地点７６３０にまで達した時、共振周波数７３００にまで低下し、搬送波は磁界強度７３１０を作る。この時、ICカード１４００aは磁界強度７６３５を受け、ICカード１４００aが電力生成に必要とする磁界強度と一致するため、ICカード１４００aは電力を生成し、リーダ/ライタ装置１３００Aとの通信が可能となり、地点７６３０が最大読み取り可能距離となる。
【００３０】
ICカード１４００aがリーダ/ライタ装置１３００Aに近づき、地点７６４０においては、共振周波数７４５０にまで低下し、この時、搬送波は磁界強度７４１０を作り、この時ICカード１４００aは最大磁界強度７６４５を受ける。
さらに、ICカード１４００aがリーダ/ライタ装置１３００Aに近づくと共振周波数７５００まで低下し、この時搬送波は磁界強度７５１０を作り、ICカード１４００aは磁界強度７６５５を受ける。
【００３１】
通信方式aの場合を用いて、ICカード１４００aの接近によるリーダ/ライタ装置１３００Aの共振周波数の低下、それに伴って起こる磁界強度の低下とICカードの電力生成との関係について説明したが、事前の共振周波数設定及び磁界強度の低下には通信方式毎に相違があるものの、ＩＣカード１４００b〜１４００ｄの接近とリーダ/ライタ装置１３００Aの共振周波数低下及び磁界強度低下の様相はICカード１４００aと同様なのでここでは割愛する。
（制御回路１３１０Aの構成）
ここでは、制御回路１３１０Aを中心とした各回路の動作について説明する。
＜制御回路１３１０Aの処理サイクル＞
制御回路１３１０Aは、図７に示すように、順次共振周波数を変えることにより、異なる通信方式a〜ｄと通信を行う。
【００３２】
通信方式a〜ｄの処理時間間隔はそれぞれ異なっており、通信方式aの処理時間はTa、通信方式bの処理時はTb、通信方式ｃの処理時間はTｃ及び通信方式ｄの処理時間はTdである。
区間８１０１及び８１０２で通信方式aの処理をTa間、区間８２０１及び区間８２０２で通信方式ｂの処理をTｂ間、区間８３００及び８３０１で通信方式ｃの処理をTｃ間行、区間８４００及び８４０１で通信方式ｄの処理をTｄ間それぞれ行う。
＜処理する通信方式の選択＞
制御回路１３１０Aは、図８で示すように、クロック回路１３０５Aから切替信号を受取ると通信方式を選択し、選択された処理を開始する。
【００３３】
クロック回路１３０５Aは切替信号を制御回路１３１０Aへ送る（S１０１００）。制御回路１３１０Aは、クロック回路１３０５Aから切替信号を受信する（S１０２００）。
次に、変数Iに１を加えたものを再び変数Iに入れ（S１０３００）、変数Iを４で割った余りを再び変数Iへ入れ（S１０４００）、Iが１の場合は通信方式aの処理（S１０５００）、２の場合は通信方式ｂの処理（S１０６００）、３の場合は通信方式ｃの処理（S１０７００）、０の場合は通信方式ｄの処理（ｓ１０８００）を行い、各処理の終了後はクロック信号を待つ（S１０２００）。
＜通信方式aの処理＞
図９は、通信方式aの処理時の、制御回路１３１０Aが行う自回路内部での処理と各回路への命令を表すフローチャートである。
【００３４】
制御回路１３１０Aは、通信方式aに対応する処理を開始する。
制御回路１３１０Aは、コンデンサー制御部４６００にコンデンサー切替命令を送り、コンデンサー制御回路４６００はスイッチ４１５０を端点４１２０に接続し（S１１００１）、自回路内部を通信方式aに対応する信号生成方式への切替、ICカード１４００aへの質問信号生成を行う（S１１００２）。これと並行して、制御回路１３１０Aは変調回路１３２０Aへ切替命令（S１１００３）、RF送信回路１３３０Aへ切替命令（S１１００４）、RF受信回路１３５０Aへ切替命令（S１１００９）、復調回路１３４０Aへ切替命令（S１１０１０）をそれぞれ送り、制御回路１３１０Aはアンテナ部１３６０Aを通して送信波を送信する（S１１００５）。
【００３５】
次に、制御回路１３１０Aは自回路内部のICカード１４００aへの質問信号生成を停止（S１１００６）、変調回路１３２０Aへ変調停止命令（S１１００７）をそれぞれ送り、アンテナ部１３６０Aを通して搬送波のみ送信する（S１１００８）。
次に、制御回路１３１０AはICカード１４００aからの返信があるか否かの判断を行い（S１１０１１）、返信がない場合（S１１０１１のNO）には、通信方式aの処理を終了し、返信がある場合（S１１０１１のYES）には、ICカード識別番号の取出し（S１１０１３）、カード識別番号を中央監視装置へ送出（S１１０１４）して、処理を終了する。
【００３６】
通信方式ｂの場合は、スイッチ４２５０を端点４２２０へ、通信方式ｃの場合はスイッチ４３５０を端点４３２０へ、通信方式ｄの場合はスイッチ４４５０を端点４４２０へそれぞれ接続するが、制御回路１３１０Bの動作は通信方式aの場合と同様であるので割愛する。
＜制御回路１３１０Aを中心とした各回路の処理＞
図１０は、制御回路１３１０A、変調回路１３２０A、RF送信回路１３３０A、RF受信回路１３５０A、復調回路１３４０A及びコンデンサー制御部４６００のそれぞれの処理内容を時系列で表した図である。
【００３７】
また、図１１はリーダ/ライタ装置１３００Aからの電波を受信した時におけるICカード１４００aの各回路の動作を時系列で表した図である。
まず、図１０を用いて制御回路１３１０Aを中心とした各回路の処理を説明する。
制御回路１３１０Aは、クロック回路１３０５Aから切替信号を受取ると（S１０１００）、自回路内部をICカード１４００aに対応する信号生成方式への切替１５００７を行い、これと並行してコンデンサー制御部４６００、変調回路１３２０A、RF送信回路１３３０A、RF受信回路１３５０A及び復調回路１３４０Aへ通信方式aに対応する方式への切替命令１５００２、１５００３、１５００４、１５００５及び１５００６を出す。制御回路１３１０Aは、（Ta）/２間ICカード１４００aへの質問信号生成１５０１３を行い、次の（Ta）/２間ではICカード１４００aからの返信信号からの情報抽出１５０１４を行う。
【００３８】
コンデンサー制御部４６００は、制御回路１３１０Aから通信方式aに対応するコンデンサー切替命令１５００２を受け取ると、切替１５００８を行い、（Ta）/２間、スイッチ４１５０を端点４１２０に接続させることにより、コンデンサー４１００への接続１２０１５を行う。
変調回路１３２０Aは、制御部１３１０Aから通信方式aに対応する変調方式切替命令１５００３を受取ると、切替１５００９を行い、自回路を通信方式aに対応する変調１５０１７を行う。制御回路１３１０Aから変調停止命令１５０１６を受取ると変調回路１３２０Aは通信方式aに対応する変調状態を停止する。
【００３９】
RF送信回路１３３０Aは、制御回路１３１０Aから通信方式aに対応する切替命令１５００４を受取ると、自回路内部を通信方式aに対応する出力１５０１８を行う。
RF受信回路１３５０Aは、制御回路１３１０Aから通信方式aに対応する切替命令１５００５を受取ると、切替１５０１１を行い、自回路内部を通信方式aに対応する出力と帯域制限１５０１９を行う。
【００４０】
復調回路１３４０Aは、制御回路１３１０Aから切替命令１５００６を受取ると、切替１５０１２を行い、自回路内部を通信方式aに対応する復調方式１５０２０を行う。
アンテナ部１３６０Aは前半の（Ta）/２間は送信波１５０４１、後半の（Ta）/２間は搬送波１５０４２を送信する。
制御回路１３１０Aはクロック回路１３０５Aからの切替信号を受取る度に通信方式b、通信方式ｃ、通信方式ｄと順次各通信方式に対応する処理を開始するが、各回路の通信方式毎の回路内部設定は異なるものの動作の点においては通信方式aの場合と同じなのでここでは割愛する。
【００４１】
ここからは、図１１を用いて、ＩＣカード１４００aの各回路の動作タイミングを説明する。
ICカード１４００aが通信方式aに対応する電波を受信すると、電力生成回路１４５０aで回路内部が使用する電力生成１６００１を行い、制御回路１４１０a、記憶回路１４２０a、変調回路１４３０a、復調回路１４４０aに電力を供給し、復調回路１４４０aで復調１６００２、制御回路１４１０aで質問信号の解読１６００３を行う。さらに、この質問信号の返答のために、制御回路１４１０aは記憶回路１４２０aからカード識別番号の取出し１６００４、取り出した識別番号の符号化１６００５を行い、変調回路１４３０aは、変調１６００６を行い、アンテナ１４６０aを通して送信１６００７を行う。
【００４２】
なお、コンデンサー制御部４６００はアナログスイッチに代えて電子式スイッチを利用しても良い。
２．変形例
アンテナ部１３６０Aの変形例として、アンテナ部１３６０Aについて説明する。
アンテナ部１３６０Aは、図１２に示すように、コンデンサー１８１００、アンテナコイル１８２００、アンテナコイル制御部１８３００から構成されている。
【００４３】
また、アンテナコイル１８２００には端点１８２１０、１８２２０、１８２３０及び１８２４０が、アンテナコイル制御部１８３００にはスイッチ１８４００がそれぞれ設けられている。
コンデンサー１８１００の一方の極板は、アンテナコイル１８２００に接続されており、コンデンサー１８１００の他方の極板はRF送信回路１３３０Aに接続されている。
【００４４】
スイッチ１８４００はアンテナコイルの一点１８２１０、１８２２０、１８２３０及び１８２４０の何れか一つと選択により接続する。また、スイッチ１８４００の一端１８５００はRF受信回路１３５０Aに接続されている。
制御回路１３１０Aは、ICカード１４００aと通信するためにコンデンサー制御部４６００へコンデンサー４１００への切替命令に代えて、アンテナコイル制御回路１８３００にスイッチ１８４００を一点１８２１０への接続命令を出す。
【００４５】
制御回路１３１０Aは、ICカード１４００bと通信するためにコンデンサー制御部４６００へコンデンサー４２００への切替命令に代えて、アンテナコイル制御部１８３００にスイッチ１８４００を一点１８２２０への接続命令を出す。
制御回路１３１０Aは、ICカード１４００ｃと通信するためにコンデンサー制御部４６００へコンデンサー４３００への切替命令に代えて、アンテナコイル制御部１８３００にスイッチ１８４００を一点１８２３０への接続命令を出す。
【００４６】
制御回路１３１０Aは、ICカード１４００ｄと通信するためにコンデンサー制御部４６００へのコンデンサー４４００への切替命令に代えて、アンテナコイル制御部１８３００にスイッチ１８４００を一点１８２４０への接続命令を出す。
なお、アンテナコイル制御部１８３００は、アナログスイッチに代えて電子式スイッチを利用しても良い。
３．まとめ
上記において説明したように、本発明は、符号化および変調を行った搬送波を質問信号として応答器へ送出する送信手段、応答器からの応答信号を復調および復号化し受信する受信手段、所定の通信手順に従い当該送受信回路の符号化と変調方式を順次切り換えながら複数の異なる方式の応答器を識別することができる質問器と、質問器からの質問信号に対し保有する識別番号等のデータを応答信号として返信する応答器とからなる非接触ＩＤシステムであって、各応答器の方式ごとに時分割で質問器のアンテナの共振周波数を変えることを特徴とする。
【００４７】
ここで、前記非接触ＩＤシステムにおいて、高い磁界強度で活性化する応答器の通信方式の時は、低い磁界強度で活性化可能な応答器の通信方式よりも高いアンテナ共振周波数に設定する。
ここで、前記非接触ＩＤシステムにおいて、アンテナ共振周波数は、アンテナの巻き数を増減することにより調整できる。
【００４８】
ここで、前記非接触ＩＤシステムにおいて、アンテナ共振周波数は、ループコイルに並列に接続されるコンデンサーの容量値を増減することにより調整できる。
なお、上記の実施の形態において、入退出ドアの施解錠の制御を、ＩＣカード及びリーダ／ライタ装置を用いて行うとしているが、ＩＣカード及びリーダ／ライタ装置の用途は、これには限定されない。
【図面の簡単な説明】
【００４９】
【図１】セキュリティシステム１０００で用いられている入退出ドア１５００A、制御ユニット1２００A及びリーダ/ライタ装置１３００Aを示す図である。
【図２】セキュリティシステム１０００の構成を示すシステム図である。
【図３】リーダ/ライタ装置１３００A及びICカード１４００aの回路構成を示す図である。
【図４】アンテナ部１３６０Aの構成を示す回路図である。
【図５】通信方式毎に共振周波数を変えた図である。
【図６】ICカード接近よる共振周波数低下を表した図である。
【図７】通信方式a〜ｄの送信サイクルを示す図である
【図８】通信方式の選択動作を示すフローチャートである。
【図９】通信方式aの処理時に制御回路１３１０Aが各回路への指示の手順を示すフローチャートである。
【図１０】制御回路１３１０Aから命令を受けた各回路の処理内容を時系列で示す図である。
【図１１】ICカード１４００aの各回路の処理内容を時系列で示す図である。
【図１２】アンテナ部１３６０Aの第二の変形例としてのアンテナ部１３６０Aaの回路構成を示す図である。
【符号の説明】
【００５０】
１０００       監視システム
１１００      中央監視装置
１２００A     制御ユニット
１３００B     制御ユニット
１３００A     リーダ/ライタ装置
１３００B     リーダ/ライタ装置
１５００A     入退出ドア
１５００B     入退出ドア
１４００ｂ    通信方式aに対応するICカード
１４００ｂ    通信方式ｂに対応するICカード
１４００ｃ    通信方式ｃに対応するICカード
１４００ｄ    通信方式ｄに対応するICカード
１０〜６０    信号線
１３０５A     クロック回路
１３１０A     制御回路
１３２０A     変調回路
１３３０A     RF送信回路
１３４０A     復調回路
１３５０A     RF受信回路
１３６０A     アンテナ部
１４１０a     制御回路
１４２０a     記憶回路
１４３０a     復調回路
１４４０a     変調回路
１４５０a     電力生成回路
【図１】
2007201647.tif 000003
【図２】
2007201647.tif 000004
【図３】
2007201647.tif 000005
【図４】
2007201647.tif 000006
【図５】
2007201647.tif 000007
【図６】
2007201647.tif 000008
【図７】
2007201647.tif 000009
【図８】
2007201647.tif 000010
【図９】
2007201647.tif 000011
【図１０】
2007201647.tif 000012
【図１１】
2007201647.tif 000013
【図１２】
2007201647.tif 000014